【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
複数の車両駐車スペースを有する車両パーキングエリアにおける車両の駐車の管理に使用される方法であって、当該方法は、
空き車両駐車スペースの位置が特定されると共に、
空き車両駐車スペースの位置が、車両を駐車させようとしている人に表示されることを含み、
前記空き車両駐車スペースの位置を特定する工程は、
予め特定された車両駐車スペースのイメージをキャプチャーすること、
予め特定された車両駐車スペースについて繰り返しキャプチャーされたイメージのシーケンスを、車両および非車両物体の各イメージに区分された状態となるよう処理すること、および
処理されたキャプチャーされたイメージの各々における一またはそれ以上の、車両の存在を表す特徴事項を特定することよりなる
ことを特徴とする方法。
【請求項２】
車両駐車スペースについてキャプチャーされたイメージがアルゴリズムによって処理されることを特徴とする請求項１に記載の方法。
【請求項３】
処理用アルゴリズムが、適用性アルゴリズム、自己学習アルゴリズムまたはその両者であることを特徴とする請求項２に記載の方法。
【請求項４】
キャプチャーされたイメージの処理に基づいて得られる、車両駐車スペースについての一またはそれ以上のイベントステータスを検知することを更に含むことを特徴とする請求項１〜請求項３のいずれか一に記載の方法。
【請求項５】
一またはそれ以上のイベントステータスは、空き区画、占有済み区画、推移中の区画、近づく車両、遠のく車両、停止している車両、無人、近づく人、遠のく人、近づく人群、遠のく人群、または停止している人群の状態を含むことを特徴とする請求項４に記載の方法。
【請求項６】
キャプチャーされたイメージの各々における前記一またはそれ以上の特徴事項が、車両のライセンス／ナンバープレート、色、作り、車種、形、大きさ、または外形の一またはそれ以上であることを特徴とする請求項１〜請求項５のいずれか一に記載の方法。
【請求項７】
車両駐車スペースに配置された複数の車両の各々について一またはそれ以上の識別用特徴事項を特定すること、
特定の車両の配置要求を、前記一またはそれ以上の識別用特徴事項の少なくとも一つにより受領すること、
前記特定の車両が配置されることの可能な一またはそれ以上の位置を、前記一またはそれ以上の識別用特徴事項の前記少なくとも一つ、並びに、キャプチャーされたイメージの各々において特定された一またはそれ以上の特徴事項に基づいて特定すること、
並びに、
前記要求に応答して、前記配置されることの可能な一またはそれ以上の位置を表示すること、
を更に含むことを特徴とする請求項１〜請求項６のいずれか一に記載の方法。
【請求項８】
複数の車両駐車スペースを有する車両パーキングエリアにおける車両の駐車の管理に使用されるシステムであって、当該システムが、
空き車両駐車スペースの位置を特定するための一またはそれ以上の第一の検知ユニットと、
空き車両駐車スペースの位置を表示するための一またはそれ以上の表示ユニットと
を有し、
各第一の検知ユニットは、
予め特定された車両駐車スペースのイメージをキャプチャーするための一またはそれ以上の撮像部、
第一の検知ユニットによって得られる、繰り返しキャプチャーされたイメージのシーケンスを、車両および非車両物体の各イメージに区分された状態となるよう処理するための一またはそれ以上のイメージ処理ユニット、および
処理されたキャプチャーされたイメージの各々における一またはそれ以上の、車両の存在を表す特徴事項を特定するための一またはそれ以上の処理手段よりなる
ことを特徴とするシステム。
【請求項９】
撮像部によるイメージのセルが、一またはそれ以上の車両駐車スペースに関連するよう、撮像部の各々が配設されており、イメージ処理ユニットにより、イメージの個々のセルに基づいて空き車両駐車スペースの位置が特定されることを特徴とする請求項８に記載のシステム。
【請求項１０】
各表示ユニットが、一またはそれ以上の音声表示装置および／または一またはそれ以上の視覚表示装置よりなることを特徴とする請求項８または請求項９に記載のシステム。
【請求項１１】
各表示ユニットが、空き車両駐車スペースの位置の表示を補助するための一またはそれ以上の遠隔装置と通信するよう配設されていることを特徴とする請求項８〜請求項１０のいずれか一に記載のシステム。
【請求項１２】
遠隔装置が車載装置よりなることを特徴とする請求項１１に記載のシステム。
【請求項１３】
車両駐車スペースに配置された複数の車両の各々に係る一またはそれ以上の識別用特徴事項を特定するための一またはそれ以上の第二の検知ユニットと、
前記一またはそれ以上の識別用特徴事項の少なくとも一つにより、特定の車両の配置要求を受領するための一またはそれ以上のインターフェースユニットとを更に含み、
各処理手段が、前記特定の車両のために可能な一またはそれ以上の位置を、前記一またはそれ以上の識別用特徴事項の前記少なくとも一つ、並びに、その特定された一またはそれ以上のキャプチャーされたイメージの各々における一またはそれ以上の特徴事項に基づいて特定し、
各表示ユニットが、前記要求に応答して前記可能な一またはそれ以上の位置を表示することを特徴とする請求項８〜請求項１２のいずれか一に記載のシステム。
【請求項１４】
第一の検知ユニットおよび第二の検知ユニットは単一の検知ユニットとして構成されていることを特徴とする請求項１３に記載のシステム。
【請求項１５】
前記キャプチャーされたイメージの各々の一またはそれ以上の特徴事項が、車両のライセンス／ナンバープレート、色、作り、車種、形、大きさ、または外形の一つ以上であることを特徴とする請求項８〜請求項１４のいずれか一に記載のシステム。
【請求項１６】
コンピュータ読み取り可能データ記録用媒体であって、複数の車両駐車スペースを有する車両パーキングエリアにおける車両の駐車の管理に使用される方法が実行されるようコンピュータに指示するコンピュータコーディング手段が保存されており、当該方法は
空き車両駐車スペースの位置が特定され、
当該空き車両駐車スペースの位置が表示され、
前記空き車両駐車スペースの位置を特定する工程が、
予め特定された車両駐車スペースのイメージをキャプチャーすること、
予め特定された車両駐車スペースについて繰り返しキャプチャーされたイメージのシーケンスを、車両および非車両物体の各イメージに区分された状態となるよう処理すること、および
処理されたキャプチャーされたイメージの各々における一またはそれ以上の、車両の存在を表す特徴事項を特定することよりなる
ことを特徴とする媒体。
【手続補正２】
【補正対象書類名】明細書
【補正対象項目名】０００４
【補正方法】変更
【補正の内容】
【０００４】
本発明の第一の態様によれば、複数の車両駐車スペースを有する車両パーキングエリアにおける車両の駐車の管理に使用される方法であって、当該方法は、
空き車両駐車スペースの位置が特定されると共に、
空き車両駐車スペースの位置が、車両を駐車させようとしている人に表示されることを含み、
前記空き車両駐車スペースの位置を特定する工程は、
予め特定された車両駐車スペースのイメージをキャプチャーすること、
予め特定された車両駐車スペースについて繰り返しキャプチャーされたイメージのシーケンスを、車両および非車両物体の各イメージに区分された状態となるよう処理すること、および
処理されたキャプチャーされたイメージの各々における一またはそれ以上の、車両の存在を表す特徴事項を特定することよりなる
ことを特徴とする方法が提供される。
【手続補正３】
【補正対象書類名】明細書
【補正対象項目名】０００５
【補正方法】変更
【補正の内容】
【０００５】
車両駐車スペースについてキャプチャーされたイメージがアルゴリズムによって処理されることができる。
【手続補正４】
【補正対象書類名】明細書
【補正対象項目名】０００６
【補正方法】変更
【補正の内容】
【０００６】
処理用アルゴリズムが、適用性アルゴリズム、自己学習アルゴリズムまたはその両者であることができる。
【手続補正５】
【補正対象書類名】明細書
【補正対象項目名】０００７
【補正方法】変更
【補正の内容】
【０００７】
キャプチャーされたイメージの処理に基づいて得られる、車両駐車スペースについての一またはそれ以上のイベントステータスを検知することを更に含むものとすることができる。
【手続補正６】
【補正対象書類名】明細書
【補正対象項目名】０００８
【補正方法】変更
【補正の内容】
【０００８】
一またはそれ以上のイベントステータスは、空き区画、占有済み区画、推移中の区画、近づく車両、遠のく車両、停止している車両、無人、近づく人、遠のく人、近づく人群、遠のく人群、または停止している人群の状態を含むものとすることができる。
【手続補正７】
【補正対象書類名】明細書
【補正対象項目名】０００９
【補正方法】変更
【補正の内容】
【０００９】
キャプチャーされたイメージの各々における前記一またはそれ以上の特徴事項が、車両のライセンス／ナンバープレート、色、作り、車種、形、大きさ、または外形の一またはそれ以上であるものとすることができる。
【手続補正８】
【補正対象書類名】明細書
【補正対象項目名】００１０
【補正方法】変更
【補正の内容】
【００１０】
本発明の方法は、
車両駐車スペースに配置された複数の車両の各々について一またはそれ以上の識別用特徴事項を特定すること、
特定の車両の配置要求を、前記一またはそれ以上の識別用特徴事項の少なくとも一つにより受領すること、
前記特定の車両が配置されることの可能な一またはそれ以上の位置を、前記一またはそれ以上の識別用特徴事項の前記少なくとも一つ、並びに、キャプチャーされたイメージの各々において特定された一またはそれ以上の特徴事項に基づいて特定すること、
並びに、
前記要求に応答して、前記配置されることの可能な一またはそれ以上の位置を表示すること、
を更に含むことを特徴とする。
【手続補正９】
【補正対象書類名】明細書
【補正対象項目名】００１１
【補正方法】変更
【補正の内容】
【００１１】
本発明の第二の態様によれば、複数の車両駐車スペースを有する車両パーキングエリアにおける車両の駐車の管理に使用されるシステムであって、当該システムが、
空き車両駐車スペースの位置を特定するための一またはそれ以上の第一の検知ユニットと、
空き車両駐車スペースの位置を表示するための一またはそれ以上の表示ユニットと
を有し、
各第一の検知ユニットは、
予め特定された車両駐車スペースのイメージをキャプチャーするための一またはそれ以上の撮像部、
第一の検知ユニットによって得られる、繰り返しキャプチャーされたイメージのシーケンスを、車両および非車両物体の各イメージに区分された状態となるよう処理するための一またはそれ以上のイメージ処理ユニット、および
処理されたキャプチャーされたイメージの各々における一またはそれ以上の、車両の存在を表す特徴事項を特定するための一またはそれ以上の処理手段よりなる
ことを特徴とするシステムが提供される。
【手続補正１０】
【補正対象書類名】明細書
【補正対象項目名】００１２
【補正方法】変更
【補正の内容】
【００１２】
撮像部によるイメージのセルが、一またはそれ以上の車両駐車スペースに関連するよう、撮像部の各々が配設されており、イメージ処理ユニットにより、イメージの個々のセルに基づいて空き車両駐車スペースの位置が特定されるものとすることができる。
【手続補正１１】
【補正対象書類名】明細書
【補正対象項目名】００１３
【補正方法】変更
【補正の内容】
【００１３】
各表示ユニットが、一またはそれ以上の音声表示装置および／または一またはそれ以上の視覚表示装置よりなるものとすることができる。
【手続補正１２】
【補正対象書類名】明細書
【補正対象項目名】００１４
【補正方法】変更
【補正の内容】
【００１４】
各表示ユニットが、空き車両駐車スペースの位置の表示を補助するための一またはそれ以上の遠隔装置と通信するよう配設されているものとすることができる。
【手続補正１３】
【補正対象書類名】明細書
【補正対象項目名】００１５
【補正方法】変更
【補正の内容】
【００１５】
遠隔装置が車載装置よりなるものとすることができる。
【手続補正１４】
【補正対象書類名】明細書
【補正対象項目名】００１６
【補正方法】変更
【補正の内容】
【００１６】
上記システムは、
車両駐車スペースに配置された複数の車両の各々に係る一またはそれ以上の識別用特徴事項を特定するための一またはそれ以上の第二の検知ユニットと、
前記一またはそれ以上の識別用特徴事項の少なくとも一つにより、特定の車両の配置要求を受領するための一またはそれ以上のインターフェースユニットとを更に含み、
各処理手段が、前記特定の車両のために可能な一またはそれ以上の位置を、前記一またはそれ以上の識別用特徴事項の前記少なくとも一つ、並びに、その特定された一またはそれ以上のキャプチャーされたイメージの各々における一またはそれ以上の特徴事項に基づいて特定し、
各表示ユニットが、前記要求に応答して前記可能な一またはそれ以上の位置を表示することを特徴とする。
【手続補正１５】
【補正対象書類名】明細書
【補正対象項目名】００１７
【補正方法】変更
【補正の内容】
【００１７】
第一の検知ユニットおよび第二の検知ユニットは単一の検知ユニットとして構成されているものとすることができる。
【手続補正１６】
【補正対象書類名】明細書
【補正対象項目名】００１８
【補正方法】変更
【補正の内容】
【００１８】
前記キャプチャーされたイメージの各々の一またはそれ以上の特徴事項が、車両のライセンス／ナンバープレート、色、作り、車種、形、大きさ、または外形の一つ以上であるものとすることができる。
【手続補正１７】
【補正対象書類名】明細書
【補正対象項目名】００１９
【補正方法】変更
【補正の内容】
【００１９】
本発明の第三の態様によれば、
コンピュータ読み取り可能データ記録用媒体であって、複数の車両駐車スペースを有する車両パーキングエリアにおける車両の駐車の管理に使用される方法が実行されるようコンピュータに指示するコンピュータコーディング手段が保存されており、当該方法は
空き車両駐車スペースの位置が特定され、
当該空き車両駐車スペースの位置が表示され、
前記空き車両駐車スペースの位置を特定する工程が、
予め特定された車両駐車スペースのイメージをキャプチャーすること、
予め特定された車両駐車スペースについて繰り返しキャプチャーされたイメージのシーケンスを、車両および非車両物体の各イメージに区分された状態となるよう処理すること、および
処理されたキャプチャーされたイメージの各々における一またはそれ以上の、車両の存在を表す特徴事項を特定することよりなる
ことを特徴とする媒体が提供される。
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】